(57)【要約】【課題】クリック付き回転操作型電子部品に関し、繰り返しの回転操作によっても、軽快なクリック感と軽快なクリック音を維持できるものを提供することを目的とする。【解決手段】回転体２２は、そのフランジ部２２Ｃ上面に回転中心に点対称な位置となる２ヶ所に収容穴２２Ｅ、２２Ｆが設けられ、開口側から順に、鋼球２５Ａ、２５Ｂ、鋼球受け穴２６Ａ、２７Ａを有した保持駒２６、２７、コイルバネ２８Ａ、２８Ｂが収容され、一方の保持駒２６の鋼球受け穴２６Ａは、鋼球２５Ａが水平方向に僅かに移動可能な遊び代が設けられている。軸受２３に固定されたクリック板２４の下面の波形の凹凸面２４Ａの形状は、上記鋼球２５Ａ、２５Ｂが同一円周上を上下移動した際に、鋼球２５Ａ、２５Ｂの表面が描く曲面に沿う形状に形成し、そこに上記鋼球２５Ａ、２５Ｂを弾接させた構成とした。【選択図】図１
2008293814.tif 000002
【特許請求の範囲】
【請求項１】
上面開口の開口部内底面に固定導体が配設され、その固定導体と繋がって外方へ導出された端子を備えた絶縁樹脂製のケースと、このケースの開口部内に配されて上記固定導体に係合する可動導体を下面に備えた回転体と、上記ケースの開口部上面に取り付けられた軸受と、この軸受で回転可能に保持され、上記回転体を回転操作する操作軸とを備え、上記軸受と上記回転体との間にクリック機構を有したクリック付き回転操作型電子部品であって、上記クリック機構が、上記軸受の下方に配され、下面に上記回転体の回転中心と同心の円周方向に設けられた波形の凹凸面を備え、この波形の凹凸面はこれに係合する鋼球が上下移動しながら上記円周方向に移動した際の上記鋼球の表面が描く曲面に沿う形状に形成されたものである金属製のクリック板と、上記回転体の上面に設けられた上方開口の収容穴内に、その開口側から順に上記鋼球、鋼球受け穴にその鋼球が配された保持駒、そしてこの保持駒を介して上記鋼球を上記クリック板の波形の凹凸面に付勢するコイルバネが収容されて構成されたものであることを特徴とするクリック付き回転操作型電子部品。
【請求項２】
回転体上面の収容穴が回転中心から等距離の位置に複数箇所設けられ、それらの収容穴それぞれに鋼球、保持駒、そしてコイルバネが収容され、クリック板の波形の凹凸面に弾接する複数の上記鋼球が、それぞれ同時に上記波形の凹凸面の凹面最深部または凸面頂点部に位置するようになされていることを特徴とする請求項１記載のクリック付き回転操作型電子部品。
【請求項３】
回転体上面の収容穴が回転中心から等距離の位置に、第１収容穴、第２収容穴の２つが設けられ、それら第１、第２収容穴それぞれに第１、第２鋼球、第１、第２保持駒、そして第１、第２コイルバネが収容されており、上記回転体がクリック板に対して相対的に回転した際に、上記第２収容穴内の第２鋼球が、クリック板の波形の凹凸面の凸面頂点部を乗り越えてから凹面最深部に至るまでに、上記第１鋼球が、上記クリック板の波形の凹凸面の凸面頂点部を遅れて乗り越えるように、上記第１鋼球と上記第１保持駒の鋼球受け穴との間に遊び代が設けられていることを特徴とする請求項１記載のクリック付き回転操作型電子部品。
【発明の詳細な説明】
【技術分野】
【０００１】
本発明は、各種電子機器の回転操作部に用いられるクリック付き回転操作型電子部品に関するものである。
【背景技術】
【０００２】
各種電子機器の条件設定や出力調節等に用いられる回転操作型電子部品には、回転操作量が感覚的にもわかり易いクリック機能を備えたクリック付き回転操作型電子部品が多く採用されている。
【０００３】
このような従来のクリック付き回転操作型電子部品としてのクリック付き回転操作型複合スイッチについて、図１２〜図１９を用いて説明する。
【０００４】
図１２は従来のクリック付き回転操作型複合スイッチの断面図、図１３は同ケースの上面図、図１４は同回転体の上面図、図１５は同摺動体の上面図、図１６は同操作軸と駆動体との関係を説明する図、図１７は同クリック板の上面図、図１８は同クリック板の側面断面図、図１９は同操作軸を押下操作した状態の断面図である。
【０００５】
同図において、１は上面が開口した箱型の絶縁樹脂製のケースで、開口部の内部は、図１３に示すように、環状突起１Ａにより内側開口部１Ｂと外側開口部１Ｃとに分かれており、内側開口部１Ｂの内底面には、中央に中央接点２とその中央接点２を挟んで２つの外側接点３がその外側に配設され、外側開口部１Ｃの内底面には、固定導体としてのコモン接点４、第１信号用接点５、第２信号用接点６が同一円周上にそれぞれ電気的に独立して配設されている。そして、上記中央接点２、外側接点３、コモン接点４、第１信号用接点５、第２信号用接点６のそれぞれに独立してスイッチ端子２Ａ、３Ａ、４Ａ、５Ａ、６Ａが繋がっており、スイッチ端子２Ａ、３Ａが上記ケース１の一つの側壁から外方へ導出され、スイッチ端子４Ａ、５Ａ、６Ａが上記スイッチ端子２Ａ、３Ａが導出された側壁に対向する側壁から外方へ導出されている。
【０００６】
７は上方凸形に形成された円形ドーム状の弾性金属薄板からなる可動接点で、外周下端が上記外側接点３上に載置され、ドーム状頂点部の下面が上記中央接点２と隙間を空けて対面しており、その可動接点７のドーム状頂点部上面には、下面中央に突出する押圧部８Ａを有した絶縁樹脂製の円盤状のプッシュ板８が載置され、中央接点２、外側接点３および可動接点７でプッシュオンスイッチが構成されている。
【０００７】
そして、９は、図１２と図１４に示したように、中央に溝付き貫通孔９Ａを有した円柱部９Ｂとその円柱部９Ｂ下方にフランジ部９Ｃを備えた絶縁樹脂製の回転体であり、フランジ部９Ｃの上面には、径方向に沿う直線状凹凸部９Ｄが放射状に設けられ、下面には、図１５に示す可動導体としての摺動体１０が取り付けられている。この摺動体１０は、導電性金属板からなり、その形状は、回転体９に固定されている環状平板部１０Ａとそこから等角の９０°毎の４ヶ所に設けられた摺動子１０Ｂからなる形状で形成され、回転体９の回転に伴って、その各摺動子１０Ｂが、下方のケース１の外側開口部１Ｃ内底面に配されたコモン接点４、第１信号用接点５、第２信号用接点６上を順次接離しながら摺動する。
【０００８】
１１は軸受で、鍔部１１Ａがケース１の開口部上面を覆うように載置され、その鍔部１１Ａ中央から上方に突出し、中央孔１１Ｃを有した中空の円筒部１１Ｂを備えており、上記回転体９の円柱部９Ｂは、上記円筒部１１Ｂ内に回転可能に嵌め込まれている。
【０００９】
１２は略棒状の操作軸で、上方に位置した操作部１２Ａと円柱状の中間部１２Ｂと下方の断面略小判形の取付部１２Ｃがそれぞれ段部を有して形成された形状となっている。そして、その操作部１２Ａが上記軸受１１の上方に位置し、上記円柱状の中間部１２Ｂの上部が軸受１１の中央孔１１Ｃに回転および上下動作可能に嵌合し、中間部１２Ｂの下部から下方は上記回転体９の貫通孔９Ａ内に位置し、下方の取付部１２Ｃには、操作軸１２の回転および上下動作に一体となって動作するように駆動体１３が嵌め込まれて固定されている。
【００１０】
上記駆動体１３は、図１６にも示すように、上記操作軸１２の取付部１２Ｃが嵌まる略小判形の中孔１３Ａを有すると共に、円柱状の外周面から等角４方向に突起部１３Ｂが設けられており、この４つの突起部１３Ｂが、上記回転体９の貫通孔９Ａ内に設けられた４つの溝部９Ｅ（図１４参照。）に係合している。また、操作軸１２の取付部１２Ｃ下端面は、上記可動接点７上に載置されたプッシュ板８の上面に当接状態になっている。
【００１１】
そして、１４は軸受１１の鍔部１１Ａ下面に取り付けられた弾性金属板からなる環状の板バネで、図１７、図１８に示したように、側面視両側が下方に傾斜状態に曲げられ、その曲げられた一方の先端に曲げ突部１４Ａが設けられて形成されている。この板バネ１４の曲げ突部１４Ａは、上記回転体９のフランジ部９Ｃ上面に設けられた凹凸部９Ｄに弾接係合している。そして、１５は、軸受１１の円筒部１１Ｂを突出させて、軸受１１の鍔部１１Ａ上面に配され、ケース１を両側から抱え込むように両側部の下端が曲げ加工されて上記各部材を結合させている取付金具である。
【００１２】
ここに、上記操作軸１２が操作されていない図１２の標準状態において、操作軸１２にはプッシュ板８を介して可動接点７から上方への付勢力が加わっており、操作軸１２の取付部１２Ｃに固定された駆動体１３の４つの突起部１３Ｂは、回転体９の貫通孔９Ａ内の対応する４つの溝部９Ｅに係止した状態となっている。また、回転体９は、フランジ部９Ｃ上面の凹凸部９Ｄに弾接している板バネ１４のバネ圧力により、下面の摺動子１０Ｂの弾性力や上記可動接点７の付勢力が加わっていても、常に下方に付勢され、フランジ部９Ｃ下面外縁部が、ケース１開口部の外周壁に設けられた外周段部１Ｄに当接しており、回転可能であるが、上下には移動しない構成となっている。
【００１３】
以上のように構成されたクリック付き回転操作型複合スイッチにおいて、まず操作軸１２の操作部１２Ａを回転操作すると、取付部１２Ｃに取り付けられた駆動体１３が回転し、その駆動体１３の突起部１３Ｂが係止している回転体９も回転する。この回転体９の回転動作により、フランジ部９Ｃ下面の摺動体１０の４つの摺動子１０Ｂがケース１の外側開口部１Ｃに配設されたコモン接点４、第１信号用接点５、第２信号用接点６上を順次摺動して、摺動子１０Ｂを介したコモン接点４と第１信号用接点５間の接離による第１パルス信号が対応するスイッチ端子４Ａ、５Ａから発生し、同様に、摺動子１０Ｂを介したコモン接点４と第２信号用接点６間の接離による第２パルス信号が対応するスイッチ端子４Ａ、６Ａから発生される。また、それと同時に、板バネ１４の曲げ突部１４Ａが回転体９のフランジ部９Ｃ上面の凹凸部９Ｄ上を弾接摺動することによってクリック感も発生する。
【００１４】
次に、操作軸１２の操作部１２Ａを押下すると、図１９に示すように、下方の取付部１２Ｃ下端でプッシュ板８が押下されて、プッシュ板８下面の押圧部８Ａで可動接点７のドーム状頂点部が押圧され、ドーム状頂点部が弾性変形してその下面が対向した中央接点２に接触する。これにより、可動接点７を介して中央接点２と外側接点３との間、つまりスイッチ端子２Ａと３Ａとの間が導通したスイッチオン状態となる。
【００１５】
この時、操作軸１２に固定された駆動体１３は、その突起部１３Ｂの回転体９との係り部分が外れて下方に移動するようになっており、回転体９には下方への動きは伝わらないようになっている。
【００１６】
そして、操作軸１２への押下力を解除すると、可動接点７は自らの弾性復元力により元の上方に膨らんだドーム状に復元すると共に、プッシュ板８を介して操作軸１２の取付部１２Ｃ下端を上方に押し戻して、中央接点２と外側接点３との間が絶縁されたプッシュオンスイッチがオフの図１２の状態に戻る。
【００１７】
なお、この出願の発明に関連する先行技術文献情報としては、例えば、特許文献１、特許文献２が知られている。
【特許文献１】特開２００６−７９９６６号公報
【特許文献２】特開２００５−３０２３５４号公報
【発明の開示】
【発明が解決しようとする課題】
【００１８】
近年、特に車載用のＡＶ機器に用いられるクリック付き回転操作型電子部品には、強いクリック感が望まれると共に、回転操作が繰り返されても、軽快なクリック感の劣化が少ない耐久性のあるものへの要望が強く、また指に伝わるクリック感だけでなく、軽快なクリック音も得られるものへの要望が生じている。
【００１９】
しかしながら、上記従来のクリック付き回転操作型電子部品としてのクリック付き回転操作型複合スイッチにおいては、金属製の板バネ１４の先端に設けた曲げ突部１４Ａを絶縁樹脂製の回転体９の凹凸部９Ｄに弾接摺動させてクリック感を発生させる構造であり、回転操作が長期に亘って繰り返されると、回転体９の凹凸部９Ｄが磨耗して凹凸部９Ｄの段差が少なくなり、クリック感が弱くなってしまうという課題があった。また、上記従来の金属製の板バネ１４と絶縁樹脂製の回転体９によるクリック機構では、クリック音も軽快な音を発生し難いという課題があった。
【００２０】
本発明は、このような従来の課題を解決するものであり、繰り返しの回転操作によっても、軽快なクリック感と軽快なクリック音を長期に亘って維持できるクリック付き回転操作型電子部品を提供することを目的とする。
【課題を解決するための手段】
【００２１】
上記目的を達成するために本発明は、以下の構成を有するものである。
【００２２】
本発明の請求項１に記載の発明は、上面開口の開口部内底面に固定導体が配設され、その固定導体と繋がって外方へ導出された端子を備えた絶縁樹脂製のケースと、このケースの開口部内に配されて上記固定導体に係合する可動導体を下面に備えた回転体と、上記ケースの開口部上面に取り付けられた軸受と、この軸受で回転可能に保持され、上記回転体を回転操作する操作軸とを備え、上記軸受と上記回転体との間にクリック機構を有したクリック付き回転操作型電子部品であって、上記クリック機構が、上記軸受の下方に配され、下面に上記回転体の回転中心と同心の円周方向に設けられた波形の凹凸面を備え、この波形の凹凸面はこれに係合する鋼球が上下移動しながら上記円周方向に移動した際の上記鋼球の表面が描く曲面に沿う形状に形成されたものである金属製のクリック板と、上記回転体の上面に設けられた上方開口の収容穴内に、その開口側から順に上記鋼球、鋼球受け穴にその鋼球が配された保持駒、そしてこの保持駒を介して上記鋼球を上記クリック板の波形の凹凸面に付勢するコイルバネが収容されて構成されたものであることを特徴とするクリック付き回転操作型電子部品としたものであり、クリック板の波形の凹凸面が鋼球の表面に沿う曲面形状であるので、回転体が回転操作された際に、鋼球とクリック板との接触部分が線接触となって磨耗が抑制されて耐久性が向上すると共に、金属製のクリック板と鋼球により明快で軽快なクリック音が得られるクリック付き回転操作型電子部品を実現できるという作用を有する。
【００２３】
請求項２に記載の発明は、請求項１記載の発明において、回転体上面の収容穴が回転中心から等距離の位置に複数箇所設けられ、それらの収容穴それぞれに鋼球、保持駒、そしてコイルバネが収容され、クリック板の波形の凹凸面に弾接する複数の上記鋼球が、それぞれ同時に上記波形の凹凸面の凹面最深部または凸面頂点部に位置するようになされていることを特徴とするものであり、全体としてのクリック強さを変えることなく１ヶ所当たりのコイルバネの圧力を小さくできるため、さらに磨耗を抑制することができるという作用を有する。
【００２４】
請求項３に記載の発明は、請求項１記載の発明において、回転体上面の収容穴が回転中心から等距離の位置に、第１収容穴、第２収容穴の２つが設けられ、それら第１、第２収容穴それぞれに第１、第２鋼球、第１、第２保持駒、そして第１、第２コイルバネが収容されており、上記回転体がクリック板に対して相対的に回転した際に、上記第２収容穴内の第２鋼球が、クリック板の波形の凹凸面の凸面頂点部を乗り越えてから凹面最深部に至るまでに、上記第１鋼球が、上記クリック板の波形の凹凸面の凸面頂点部を遅れて乗り越えるように、上記第１鋼球と上記第１保持駒の鋼球受け穴との間に遊び代が設けられていることを特徴とするものであり、第２鋼球がクリック板の凹面最深部に嵌り込んだ直後に、第１鋼球が遊び代の分遅れて凹面最深部に落ち込んで、クリック板の次の傾斜面に衝突するが、第１鋼球と第１保持駒の鋼球受け穴との間に水平方向に遊び代を設けたことにより、上記衝突時において第１鋼球は弾かれつつ鋼球受け穴内の壁面などにも衝突し短時間内での繰り返し衝突が生じて衝突音が増大され、明快で軽快なクリック音が得られるという作用を有する。
【発明の効果】
【００２５】
以上のように本発明によれば、繰り返しの回転操作によっても、軽快なクリック感と軽快なクリック音を長期に亘って維持できるクリック付き回転操作型電子部品を提供することができるという有利な効果が得られる。
【発明を実施するための最良の形態】
【００２６】
以下、本発明の実施の形態について、図１〜図１１を用いて説明する。
【００２７】
なお、従来の実施の形態の構成と同一構成の部分には同一符号を付して、詳細な説明を省略する。
【００２８】
（実施の形態）
図１は本発明の一実施の形態によるクリック付き回転操作型電子部品としてのクリック付き回転操作型複合スイッチの断面図、図２は同クリック用部材を組み込んだ回転体の上面図、図３は同クリック板の上面図、図４は図３内のＡ−Ａ断面図、図５は図３内のＢ−Ｂ断面図、図６は図３内のＣ−Ｃ断面図、図７および図８は同クリック機構部分の部分拡大図、図９〜図１１は同クリック機構部分の動作説明図である。
【００２９】
同図において、２１は上面開口の箱型に形成された絶縁樹脂製のケースで、その開口部は、中央に設けられた環状突起２１Ａを境に内側開口部２１Ｂと外側位置の環状の外側開口部２１Ｃに区分けされ、外側開口部２１Ｃの外側となる外周壁には、後述する回転体２２の下面外縁部が当接する外周段部２１Ｄが設けられている。そして、内側開口部２１Ｂの内底面には、中央接点２とそれを挟む両側位置に外側接点３が設けられており、外側開口部２１Ｃの内底面には、固定導体としてのコモン接点４、第１信号用接点５、第２信号用接点６（第１信号用接点５、第２信号用接点６は図中に表れず。）が同一円周上に電気的独立状態で配設され、それら各接点２〜６と繋がってケース２１の対向する側壁から外方へ、スイッチ端子２Ａ、３Ａ、４Ａ、５Ａ、６Ａ（スイッチ端子４Ａ、５Ａ、６Ａは図中に表れず。）が導出されている。
【００３０】
そして、内側開口部２１Ｂ内には、円形ドーム状の可動接点７が外側接点３上に載置され、さらに可動接点７上面中央には、押圧部８Ａを当接させて絶縁樹脂製のプッシュ板８が載せられている。これらの構成は従来例と同じであるが、ケース２１の外周壁の高さは、後述する回転体２２の厚みのあるフランジ部２２Ｃを開口部内に収容可能なように、従来例で説明したものよりも高く形成されている。
【００３１】
そして、２２は絶縁樹脂製の回転体で、フランジ部２２Ｃ中央に上方に突出する円柱部２２Ｂを有し、その円柱部２２Ｂ、フランジ部２２Ｃの中心に上下に貫通する貫通孔２２Ａを有している。そして、フランジ部２２Ｃ下面には、従来例と同様に、回転体２２が回転されるとケース２１の外側開口部２１Ｃに配されたコモン接点４、第１信号用接点５、第２信号用接点６それぞれと接離しながら摺接する４つの摺動子１０Ｂを環状平板部１０Ａに備えた可動導体としてなる摺動体１０が固定され、フランジ部２２Ｃの下面外縁部は、上記ケース２１の外周段部２１Ｄに当接している。
【００３２】
そして、ケース２１の開口部上面は、軸受２３の鍔部２３Ａで覆われ、鍔部２３Ａ中央から上方に突出形成された中央孔２３Ｃを有した中空の円筒部２３Ｂ内には、上記回転体２２の円柱部２２Ｂの外周が回転可能に嵌め込まれている。
【００３３】
そして、１２は操作軸で、上記軸受２３の中央孔２３Ｃの上方に操作部１２Ａが位置するようにして、その円柱状の中間部１２Ｂ上部が上端の上記中央孔２３Ｃで回転および上下動作可能に嵌合され、中間部１２Ｂの下方と断面略小判形の取付部１２Ｃが上記回転体２２の貫通孔２２Ａ内に位置し、その下端をプッシュ板８上に当接させて配されている。その取付部１２Ｃには、この取付部１２Ｃを中孔１３Ａに挿通させて配された駆動体１３が一体に固定されている。なお、この操作軸１２には、プッシュ板８を介して可動接点７からの上方への付勢力が加わっていることは従来と同じである。
【００３４】
また、その付勢された上記操作軸１２の配置状態で、駆動体１３は、外周面から側方に突出形成されている４つの突起部１３Ｂが回転体２２の貫通孔２２Ａの対応する位置に設けられた４つの溝部２２Ｄ（図２参照。）に係止した状態となっており、操作軸１２が回転操作された場合には、この駆動体１３を介して回転体２２が共回りされるが、操作軸１２を押下した場合には、その突起部１３Ｂが溝部２２Ｄから外れて駆動体１３の移動に伴う回転体２２の従動はしないように組み合わせられている。
【００３５】
そして、金属板からなる取付金具２９が、軸受２３の円筒部２３Ｂを突出させて鍔部２３Ａ上面に配され、両側部でケース２１を両側から抱え込み、その下端が内側に曲げられてケース２１を抱きカシメすることにより上記の各部材が結合された固定状態になっている。
【００３６】
以上の構成は従来のものと同様であるが、本発明によるものは、軸受２３の鍔部２３Ａと回転体２２のフランジ部２２Ｃとの間に構成されたクリック機構が異なっており、そのクリック機構について続いて説明する。
【００３７】
本発明によるもののクリック機構は、軸受２３の鍔部２３Ａ下面に固定されたクリック板２４に対し、回転体２２のフランジ部２２Ｃ上面に設けられた弾接手段で弾接する構成となっている。
【００３８】
まず、上記弾接手段から説明すると、図１、図２に示したように、回転体２２は、そのフランジ部２２Ｃ上面に回転中心に点対称な位置となる２ヶ所に上面開口で有底の第１収容穴２２Ｅと第２収容穴２２Ｆが設けられている。その第１収容穴２２Ｅには、開口側から順に、第１鋼球２５Ａ、鋼球受け穴２６Ａを有した金属製の第１保持駒２６、第１コイルバネ２８Ａが収容され、第２収容穴２２Ｆには、同じく開口側から順に、第２鋼球２５Ｂ、鋼球受け穴２７Ａを有した金属製の第２保持駒２７、第２コイルバネ２８Ｂが収容されており、第１保持駒２６の鋼球受け穴２６Ａは、第１鋼球２５Ａが水平方向で僅かに移動可能な遊び代を有するものとして設けられ、その形状は、内底部が平面で構成された円柱状の窪み形状で形成されている。そして、第２保持駒２７の鋼球受け穴２７Ａは、第２鋼球２５Ｂが圧入状態にならずに第２鋼球２５Ｂの外周面に沿う略半球状の窪み形状で形成されている。
【００３９】
なお、上記遊び代については、後述の動作説明部分で詳細を説明する。
【００４０】
また、説明の便宜上、回転体２２の第１収容穴２２Ｅと第２収容穴２２Ｆ、第１鋼球２５Ａと第２鋼球２５Ｂ、第１コイルバネ２８Ａと第２コイルバネ２８Ｂは、別の名称、別の符号を用いたが、同じ形状寸法・材質のものであり、第１保持駒２６と第２保持駒２７については、鋼球受け穴２６Ａ、２７Ａの形状が異なるが、他の形状は同じである。
【００４１】
そして、軸受２３の鍔部２３Ａ下面に固定されたクリック板２４は、図３に示すように、略環状をした平板金属から形成されており、外周縁に等角で設けられた４ヶ所の固定用突部２４Ｂが、対応して設けられた鍔部２３Ａ下面の凹部に嵌め込まれ、ケース２１の上端面との間で挟持されて固定されている。
【００４２】
このクリック板２４の下面側には、円周方向に形成された波形の凹凸面２４Ａを有しており、この波形の凹凸面２４Ａの形状は、上記第１鋼球２５Ａまたは第２鋼球２５Ｂが回転体２２の回転中心を中心とする円周上を一定間隔で連続して上下しつつ移動した際に、第１鋼球２５Ａまたは第２鋼球２５Ｂの表面が描く曲面に沿う形状（図３内のＡ−Ａ断面図である図４参照。）で、しかも、回転中心に対し点対称に凹面最深部または凸面頂点部が位置するように形成されている。その波形の凹凸面２４Ａの凹面最深部を図３内のＢ−Ｂ断面図である図５に、また波形の凹凸面２４Ａの凸面頂点部を図３内のＣ−Ｃ断面図である図６に示す。
【００４３】
そして、これら第１鋼球２５Ａ、第２鋼球２５Ｂが、それぞれ第１保持駒２６、第２保持駒２７を介して第１コイルバネ２８Ａ、第２コイルバネ２８Ｂで上方に付勢されてクリック板２４の波形の凹凸面２４Ａに弾接しており、これらでクリック機構が構成されている。なお、クリック板２４を用いることなく軸受２３の鍔部２３Ａ下面に上記形状の凹凸面２４Ａが形成されているものとしてあってもよい。
【００４４】
上記構成のクリック機構を備えた本発明のクリック付き回転操作型複合スイッチにおいて、操作軸１２を回転操作すると、摺動体１０の摺動子１０Ｂがコモン接点４、第１信号用接点５、第２信号用接点６上を摺動して、コモン接点４と第１信号用接点５間の接離による第１パルス信号がスイッチ端子４Ａ、５Ａから発生し、コモン接点４と第２信号用接点６間の接離による第２パルス信号がスイッチ端子４Ａ、６Ａから発生することは従来と同様である。また、操作軸１２を押下操作して、プッシュ板８下方の可動接点７が反転動作することにより、中央接点２と外側接点３との間が導通してプッシュオンスイッチのスイッチ端子２Ａ、３Ａ間がオン状態になり、押下操作を解除すると、可動接点７は自らの弾性復元力により上方に膨らんだドーム状に復元して、操作軸１２が押圧操作されていない元の位置に押し戻されると共に、スイッチ端子２Ａ、３Ａ間が絶縁されたスイッチオフ状態になることも、従来と同様であるので詳細説明は省略する。
【００４５】
ここで、操作軸１２を回転操作した際のクリック機構部分の動作について説明する。
【００４６】
まず、操作軸１２を回転操作や押下操作しない状態である図１に示す標準状態では、回転体２２のフランジ部２２Ｃの第１、第２収容穴２２Ｅ、２２Ｆの第１、第２コイルバネ２８Ａ、２８Ｂの弾発力により、クリック板２４に付勢されている第１、第２鋼球２５Ａ、２５Ｂは、クリック板２４の波形の凹凸面２４Ａの凹面最深部に両方共位置して回転体２２は安定した停止状態となっている。この標準状態でのクリック機構部分の状態を図７、図８にそれぞれ示す。図７は、第１収容穴２２Ｅ近傍の回転方向断面図で、図８は、第２収容穴２２Ｆ近傍の回転方向断面図である。
【００４７】
この状態から、操作軸１２の操作部１２Ａを回転操作すると、操作軸１２下方の取付部１２Ｃに固定された駆動体１３が一体で回転し、その突起部１３Ｂが溝部２２Ｄに係止している回転体２２も共に回転する。この回転体２２の回転により、フランジ部２２Ｃ上面の第１収容穴２２Ｅおよび第２収容穴２２Ｆ内の第１鋼球２５Ａおよび第２鋼球２５Ｂが、第１コイルバネ２８Ａおよび第２コイルバネ２８Ｂの弾発力を受けながらクリック板２４の波形の凹凸面２４Ａ上を弾接しつつ摺動もしくは転動する。
【００４８】
つまり、標準状態では、図７および図８に示すように、第１鋼球２５Ａおよび第２鋼球２５Ｂは、波形の凹凸面２４Ａの凹面最深部に位置しており、操作軸１２の回転動作に伴って回転体２２が回転すると、第２鋼球２５Ｂは、第２コイルバネ２８Ｂを下方に圧縮しながらクリック板２４の波形の凹凸面２４Ａの凹面最深部から傾斜面上を移動し、波形の凹凸面２４Ａの凸面頂点部に達する。
【００４９】
そして、さらに回転体２２が回転して第２鋼球２５Ｂが凸面頂点部を乗り越えると同時に、第２コイルバネ２８Ｂの弾発力を受けて第２鋼球２５Ｂが波形の凹凸面２４Ａの凹面最深部に向かって傾斜面を急速に移動し、凹面最深部で安定する。この急速な移動に伴い回転体２２および駆動体１３を介して操作軸１２もすばやく回転する。このように、凹面最深部間を第２鋼球２５Ｂが移動することによりクリック感が発生し、また、傾斜面を急速に移動してきた第２鋼球２５Ｂが凹面最深部を形成している次の傾斜面に衝突した際の衝突音がクリック音として発生する。
【００５０】
それに対し第１鋼球２５Ａの動作は、第１保持駒２６の鋼球受け穴２６Ａとの間に水平方向に遊び代が設けてあり、しかもその鋼球受け穴２６Ａの内底部を平面で構成したものとしているので、回転体２２の回転に伴って、まず第１鋼球２５Ａは、図９に示すように、第１保持駒２６の鋼球受け穴２６Ａ内の回転方向とは逆方向の壁に当接状態になるように摺動もしくは転動し、その後に第１コイルバネ２８Ａを下方に圧縮させながらクリック板２４の波形の凹凸面２４Ａの傾斜面を図中の矢印の方向に移動する。そして、さらに回転体２２が回転すると、図１０に示したように、波形の凹凸面２４Ａの凸面頂点部に達する。
【００５１】
そして、第１鋼球２５Ａが第１保持駒２６の鋼球受け穴２６Ａ内で僅かに移動可能な遊び代は、上記に説明した第２鋼球２５Ｂが、波形の凹凸面２４Ａの凸面頂点部を乗り越えてから凹面最深部に至るまでに、第１鋼球２５Ａが、凸面頂点部を乗り越えるようなずれを生じる遊び代に設定しており、この遊び代によって、第２鋼球２５Ｂが凹面最深部に至った直後に、第１鋼球２５Ａが凹面最深部に向かう傾斜面を急速に移動して図１１に示すように凹面最深部に至る。
【００５２】
このとき第１鋼球２５Ａは、上記遊び代により勢いよく凹面最深部に至るため、次の傾斜面に勢いよく衝突する。また、その衝突時に第１鋼球２５Ａは弾かれつつ鋼球受け穴２６Ａ内の壁面などにも衝突し短時間内での繰り返し衝突が生じて衝突音が増大され、明快で軽快なクリック音として聞える。
【００５３】
そして、操作軸１２の回転操作を継続すると、第１鋼球２５Ａおよび第２鋼球２５Ｂのそれぞれの上記動作が、クリック板２４の波形の凹凸面２４Ａ上で繰り返してなされ、これによって軽快なクリック音が連続して発生する。
【００５４】
このように本実施の形態によれば、第２鋼球２５Ｂが波形の凹凸面２４Ａの凸面頂点部を乗り越えてから凹面最深部に至るまでに、第１鋼球２５Ａが凸面頂点部を乗り越えるようなずれを生じる遊び代が、第１保持駒２６の鋼球受け穴２６Ａと第１鋼球２５Ａとの間に水平方向で設けられているので、第２鋼球２５Ｂがクリック板２４の凹面最深部に至った直後に、第１鋼球２５Ａがクリック板２４の凸面頂点部から凹面最深部に向けて勢いよく移動し、第１保持駒２６の鋼球受け穴２６Ａとの遊び代によって、第１鋼球２５Ａの繰り返し衝突が生じて衝突音が増大され、明快で軽快なクリック音が得られるものにできる。
【００５５】
そして、クリック板２４の波形の凹凸面２４Ａは、回転体２２の回転に伴い第１鋼球２５Ａ、第２鋼球２５Ｂが上下方向に移動したときに、その表面に沿う曲面形状とされているため、第１鋼球２５Ａ、第２鋼球２５Ｂは、常に線接触の状態で波形の凹凸面２４Ａに接触することになり、応力が一ヶ所に集中することなく分散されて接触部分の磨耗を低減することができ、長期に亘って軽快なクリック感とクリック音を維持するものにできる。
【００５６】
また、回転体２２の回転中心に点対称となる２ヶ所の位置にクリック板２４に弾接する第１鋼球２５Ａ、第２鋼球２５Ｂを配してクリック感を発生するようにしたので、所望のクリック強さを得るために必要な各クリック部に加わる圧力を小さくすることができ、クリック部の磨耗を抑制し、さらに長期に亘って軽快なクリック感とクリック音を維持することができる。
【００５７】
なお、本実施の形態では、クリック板に弾接する鋼球を回転中心に点対称な２ヶ所に配したもので説明したが、３ヶ所以上に配置した構成でも良く、波形の凹凸面の凹面最深部または凸面頂点部にそれぞれの鋼球が同時に位置するように配置すれば良い。そして、３ヶ所以上に配置した場合でも、鋼球と保持駒の鋼球受け穴との遊び代を設ける数は、所望のクリック音が得られるように任意の数に設定すれば良い。
【００５８】
また、第１保持駒２６と第２保持駒２７との間で、鋼球受け穴２６Ａ、２７Ａの形状違いを除いて、回転体２２の第１収容穴２２Ｅと第２収容穴２２Ｆ、およびそれら第１収容穴２２Ｅと第２収容穴２２Ｆ内に収容される第１鋼球２５Ａと第２鋼球２５Ｂ、第１保持駒２６と第２保持駒２７、第１コイルバネ２８Ａと第２コイルバネ２８Ｂは、同じ形状寸法である必要もなく、第２鋼球２５Ｂがクリック板２４の波形の凹凸面２４Ａの凸面頂点部を乗り越えてから凹面最深部に至るまでに、第１鋼球２５Ａが凸面頂点部を乗り越えるようなずれを生じる遊び代が設けられていれば、明快で軽快なクリック音が得られるものにできる。
【００５９】
なお、上記には回転操作型エンコーダを備えたものを事例として説明したが、それに代えて回転操作型可変抵抗器や回転型スイッチを有するものとしてもよい。
【産業上の利用可能性】
【００６０】
本発明によるクリック付き回転操作型電子部品は、繰り返しの回転操作によっても、軽快なクリック感と軽快なクリック音を長期に亘って維持できるクリック付き回転操作型電子部品を提供することができるという特徴を有し、各種電子機器の回転操作部等に有用である。
【図面の簡単な説明】
【００６１】
【図１】本発明の一実施の形態によるクリック付き回転操作型複合スイッチの断面図
【図２】同クリック用部材を組み込んだ回転体の上面図
【図３】同クリック板の上面図
【図４】図３内のＡ−Ａ断面図
【図５】図３内のＢ−Ｂ断面図
【図６】図３内のＣ−Ｃ断面図
【図７】同クリック機構部分の部分拡大図
【図８】同クリック機構部分の部分拡大図
【図９】同クリック機構部分の動作説明図
【図１０】同クリック機構部分の動作説明図
【図１１】同クリック機構部分の動作説明図
【図１２】従来のクリック付き回転操作型複合スイッチの断面図
【図１３】同ケースの上面図
【図１４】同回転体の上面図
【図１５】同摺動体の上面図
【図１６】同操作軸と駆動体との関係を説明する図
【図１７】同クリック板の上面図
【図１８】同クリック板の側面断面図
【図１９】同操作軸を押下操作した状態の断面図
【符号の説明】
【００６２】
２  中央接点
２Ａ、３Ａ、４Ａ、５Ａ、６Ａ  スイッチ端子
３  外側接点
４  コモン接点
５  第１信号用接点
６  第２信号用接点
７  可動接点
８  プッシュ板
８Ａ  押圧部
１０  摺動体
１０Ａ  環状平板部
１０Ｂ  摺動子
１２  操作軸
１２Ａ  操作部
１２Ｂ  中間部
１２Ｃ  取付部
１３  駆動体
１３Ａ  中孔
１３Ｂ  突起部
２１  ケース
２１Ａ  環状突起
２１Ｂ  内側開口部
２１Ｃ  外側開口部
２１Ｄ  外周段部
２２  回転体
２２Ａ  貫通孔
２２Ｂ  円柱部
２２Ｃ  フランジ部
２２Ｄ  溝部
２２Ｅ  第１収容穴
２２Ｆ  第２収容穴
２３  軸受
２３Ａ  鍔部
２３Ｂ  円筒部
２３Ｃ  中央孔
２４  クリック板
２４Ａ  波形の凹凸面
２４Ｂ  固定用突部
２５Ａ  第１鋼球
２５Ｂ  第２鋼球
２６  第１保持駒
２６Ａ、２７Ａ  鋼球受け穴
２７  第２保持駒
２８Ａ  第１コイルバネ
２８Ｂ  第２コイルバネ
２９  取付金具
【図１】
2008293814.tif 000003
【図２】
2008293814.tif 000004
【図３】
2008293814.tif 000005
【図４】
2008293814.tif 000006
【図５】
2008293814.tif 000007
【図６】
2008293814.tif 000008
【図７】
2008293814.tif 000009
【図８】
2008293814.tif 000010
【図９】
2008293814.tif 000011
【図１０】
2008293814.tif 000012
【図１１】
2008293814.tif 000013
【図１２】
2008293814.tif 000014
【図１３】
2008293814.tif 000015
【図１４】
2008293814.tif 000016
【図１５】
2008293814.tif 000017
【図１６】
2008293814.tif 000018
【図１７】
2008293814.tif 000019
【図１８】
2008293814.tif 000020
【図１９】
2008293814.tif 000021